(57)【要約】【課題】組仕切りで仕切られた包装箱に商品を収納する作業を容易にする。【解決手段】組仕切り１０を、上縁にスリット１１ａが設けられた横仕切り板１１と、楔形の縦仕切り板１２と、隣接する縦仕切り板１２の上端同士を連結する連結板１３と、連結板１３から対向し、箱３０の周壁に沿って起立する起立板１４とから構成した。カートリッジの列と横仕切り板１１とを交互に並べて積み重ね体を形成し、これを箱３０に詰め、カートリッジ２０の隙間から見えるスリット１１ａに縦仕切り板１２を差し込むことで、組仕切り１０が組み上げられる。縦仕切り板１２は、先端に向かい窄まっているので、隙間への差し込みが容易である。連結板１３と起立板１４とで囲まれる空間には、カートリッジ２０と仕切られた状態でノズル２３を収納できる。箱３０に衝撃がかかった場合には、起立板１４が箱３０の蓋３１につかえて組仕切り１０の上下動が抑えられる。【選択図】図１
2008273526.tif 000002
【特許請求の範囲】
【請求項１】
包装箱３０の内部を一方向に仕切る、１または並列する複数の一方向仕切り板１１と、包装箱３０の内部を一方向仕切り板１１とほぼ直交する方向に仕切る、並列する複数の他方向仕切り板１２とを有し、一方向仕切り板１１の上縁に設けられたスリット１１ａに、他方向仕切り板１２を差し込むことで組み上げられる組仕切り１０において、
前記各他方向仕切り板１２を下端に向かい窄まる形状に形成し、隣接する２以上の他方向仕切り板１２の上端同士を１または複数の連結板１３で連結し、各連結板１３から対向する一対の起立板１４を起立させたことを特徴とする組仕切り。
【発明の詳細な説明】
【技術分野】
【０００１】
この発明は、包装箱の内部を仕切る組仕切りに関する。
【背景技術】
【０００２】
包装箱に複数の商品を収納する際には、隣り合う商品同士がぶつかって破損しないように、また商品が箱の中で片寄ったり倒れたりしないように、縦横の仕切り板を格子状に組み上げた組仕切りで、箱の内部を仕切ることがよく行われている(特許文献1参照)。
【０００３】
この場合に、先に組み上げた組仕切りを箱の中に入れ、後から商品を収納するのは、商品を１つずつ手作業で詰めるとなると面倒であり、機械で一挙に詰めるとなると商品が仕切り板にぶつからないように微妙な位置合わせが必要となり、いずれにせよ手間がかかる。
【０００４】
そこで、横１列に並べた商品の上に横仕切り板を載せ、その上に同様に商品を１列に並べ、と繰り返すことで商品の列と横仕切り板とが交互に並ぶ積み重ね体をあらかじめ形成しておき、これを寝かせた箱に一挙に詰め、つぎに、箱を起こし、縦仕切り板を隣り合う商品の縦列と縦列の隙間に差し込むことが考えられる。
このようにすれば、上述したような商品を１つずつ詰めたり、微妙な位置合わせをしたりするような手間はかからない。
【０００５】
しかし、仕切り板は、商品の列と列の隙間が小さいため差し込みにくく、また、差し込み途中で引っかかるなどして、折れ曲がって破損してしまう恐れもある。
【特許文献１】特開２０００−６９５３号公報
【発明の開示】
【発明が解決しようとする課題】
【０００６】
そこでこの発明の解決すべき課題は、包装箱に収納された商品の隙間に、組仕切りの仕切り板を容易に差し込めるようにすることである。
【課題を解決するための手段】
【０００７】
上記した課題を解決するため、包装箱の内部空間を一方向に仕切る、１または並列する複数の一方向仕切り板と、包装箱の内部空間を一方向仕切り板とほぼ直交する方向に仕切る、並列する複数の他方向仕切り板とからなり、一方向仕切り板の上縁に設けられたスリットに他方向仕切り板を差し込むことで組み上げられる発明の組仕切りにおいて、各他方向仕切り板を下端に向かい窄まる形状に形成し、隣接する２以上の他方向仕切り板の上端同士を１または複数の連結板で連結し、各連結板から対向する一対の起立板を起立させたのである。
【０００８】
このように組仕切りを構成し、上述したのと同様に、商品と一方向仕切り板とを、商品と商品の間に一方向仕切り板のスリットが位置するように、交互に積み重ねて積み重ね体を形成し、これを一挙に箱に詰め、つぎに他方向仕切り板を隣り合う商品の列と列の隙間から見える一方向仕切り板のスリットに差し込む。
この際に、他方向仕切り板は、下端に向かい窄まる形状に形成されているので、商品の隙間への差し込みが容易であり、差し込み途中で引っかかることが防止される。
【０００９】
また、商品にノベルティ等の付属品を同封する際には、付属品を連結板と起立板とで区画される空間に、商品と仕切られた状態で収納できるため、商品と付属品がぶつかり合って破損することも防止される。
【００１０】
さらに、包装箱の輸送中に外部から衝撃が加わったときにも、連結板から起立する一対の起立板が組仕切りの上下動を規制するため、組仕切りが分解するなどして商品の配列が乱れることはない。
【発明の効果】
【００１１】
組仕切りの他方向仕切り板を下端に向かい窄まる形状としたので、包装箱に収納された商品の隙間に差し込むことが容易となる。
【発明を実施するための最良の形態】
【００１２】
図1から図３に示すように、実施形態の組仕切り１０は、上下に組み合わせられる、下側の横仕切り板１１と、上側の一方向に並列する縦仕切り板１２と、隣接する縦仕切り板１２の上端同士を連結する連結板１３と、連結板１３の両側から立ち上がって対向する起立板１４とから構成される。
【００１３】
図１および図２のように、横仕切り板１１は、段ボールシートを打ち抜いて作製された方形の板状体であって、その上縁から下方に向けては、スリット１１ａが４つ等間隔に並列して延びている。
【００１４】
また、図１から図３のように、下端に向かって窄まる楔形の２つの縦仕切り板１２と、方形の連結板１３と、方形の一対の起立板１４とが一体に形成され、これにより縦仕切り板１２および連結板１３および起立板１４は、２つの連結体を構成している。
これら各連結体は、図４のように、段ボールシートを打ち抜いて形成されるほぼ十字型の板状体を折り曲げることで作製されている。
図示のように、この各連結板１３には、長手方向に並列する方孔１３ａが設けられている。
【００１５】
この組仕切り１０は、横仕切り板１１のスリット１１ａに、上から縦仕切り板１２を差し込むことにより組み上げられる。
図２のように、組仕切り１０を包装箱３０(以下、箱３０と略する。)の中に入れた状態で、横仕切り板１１により、箱３０の内部は奥行き方向に２等分され、縦仕切り板１２により、箱３０の内部は間口方向に５等分される。
これにより、箱３０の内部は間口方向５列奥行き方向２列の合計１０の小部屋に区画され、各小部屋には、ソフトカートリッジ２０(以下、カートリッジ２０と略する。)が１つずつ収納されている。
なお、図２および図３のように、組仕切り１０を箱に入れた状態で、起立板１４は、箱３０の周壁にその板面が当接するようになっている。
【００１６】
図示のように、この箱３０に収納される円筒形のカートリッジ２０は、フィルムからなる軟質の胴部２１の両端が、プラスチックからなる硬質の端部２２で閉塞されており、接着剤等の内容物が充填されている。
また、先端側端部２２には突出する注出口２２ａが形成され、ここに別体のノズル２３を取り付け、胴部２１を絞ってノズル２３から内容物を注出することで利用に供せられる。
【００１７】
箱３０に収納する際には、まず、５本横一列に並べたカートリッジ２０の上に、カートリッジとカートリッジの間にスリット１１ａが位置するようにして横仕切り板１１を載せ、その上に同様にカートリッジ２０を５本一列に並べて積み重ね体を形成し、これを寝かせた箱３０に一挙に詰める。
つぎに、箱３０を起こし、カートリッジ２０の５列をなす縦列と縦列のそれぞれの隙間および隙間に位置する横仕切り板１１のスリット１１ａに各縦仕切り板１２を差し込むことで、組仕切り１０が組み上げられる。
このとき、縦仕切り板１２は、先端に向かい窄まる楔形に形成されているので、カートリッジ２０の隙間への差し込みが容易であり、差し込み途中でカートリッジ２０にひっかかって折れ曲がる等することはない。
【００１８】
このように、組仕切り１０が組み上げられた状態で、隣り合うカートリッジ２０の硬質な端部２２と端部２２の間が仕切られているので、これらがぶつかって破損することが防止されている。
また、胴部２１と胴部２１との間は仕切られていないが、この部分は軟質であるためぶつかっても破損の恐れが小さい。
【００１９】
ここで、カートリッジ２０の上端から突出する注出口２２ａは、図２および図３のように、連結板１３の方孔１３ａに差し込まれることで、カートリッジ２０は組仕切り１０に強固に保持されるようになっている。
【００２０】
また、別体のノズル２３は、図示のように袋に詰めるなどした上で、連結板１３と起立板１４とで区画される空間に収納されることで、箱３０にカートリッジ２０と仕切られた状態で同封される。
そのため、カートリッジ２０の端部２２とノズル２３とのぶつかり合い、およびそれに伴う破損が防止される。
【００２１】
このとき、図３のように、箱３０の周壁に沿って立ち上がる起立板１４はその高さが、カートリッジ２０を箱に詰めた状態で箱３０の上部にできる空間の高さとほぼ同じになるように設定されている。
そのため、箱３０の蓋３１を閉じた場合に、起立板１４上端が蓋３１につかえる事で、箱３０を輸送中に衝撃が加わっても、組仕切り１０が上下動せず、仕切った状態を良好に維持できるようになっている。
【００２２】
なお、この例では、縦仕切り板１２は楔形に形成されているが、これに限定されず、先端に向かい窄まり、カートリッジ２０の隙間に差し込みやすい形状であればよい。
【００２３】
また、この例とは仕切り板１１、１２の上下を逆に、すなわち連結板１３で上端が連結された上側の横仕切り板１１と、横仕切り板１１を上から差し込むスリットが設けられた下側の縦仕切り板１２とから構成してもよい。
【００２４】
また、連結板１３により連結される縦仕切り板１２の数およびその並列方向はこの例に限られない。
例えば、図５(ａ)に示すように、並列する四つの縦仕切り板１２を１の連結板１３で連結してもよいし、図５(ｂ)に示すように、２つずつ2列をなす４つの縦仕切り板を１の連結板１３で連結してもよい。
【００２５】
なお、箱３０に収納される商品は、カートリッジ２０には限定されず、組仕切り１０の素材は段ボールシートには限定されないことは無論である。
【図面の簡単な説明】
【００２６】
【図１】組仕切りを分解した状態を示す全体斜視図
【図２】包装箱内で組仕切りを組み上げた状態を示す斜視図
【図３】包装箱内で組み上げた組仕切りの縦断面図
【図４】組仕切りの一部の展開図
【図５】組仕切りの他の例の一部の展開図
【符号の説明】
【００２７】
１０  組仕切り
１１  横仕切り板
１１ａ  スリット
１２  縦仕切り板
１３  連結板
１３ａ  方孔
１４  起立板
２０  ソフトカートリッジ
２１  胴部
２２  端部
２２ａ  注出口
２３  ノズル
３０  包装箱
３１  蓋
【図１】
2008273526.tif 000003
【図２】
2008273526.tif 000004
【図３】
2008273526.tif 000005
【図４】
2008273526.tif 000006
【図５】
2008273526.tif 000007